(57)【要約】【課題】製造から流通過程において蓋体が外れにくく、かつ蓋体の取り外しを小さな力で行いうるようにする。【解決手段】容器本体２の本体スカート部６に、蓋体３の蓋体スカート部１２に嵌合する外向きの複数の突出部７が互いに空隙８を隔てて設けられ、これら複数の突出部７が内向きに後退Ｓ可能とされている。本体スカート部６の外径が全周にわたって均一にされている従来のコーン用容器に比して、本体スカート部６が撓み易くなり、蓋体３の取り外しを小さい力で行うことができる。【選択図】図５
2008296944.tif 000002
【特許請求の範囲】
【請求項１】
カップ状の容器本体及びこれに嵌合するカップ状の蓋体を備え、前記容器本体は、その口縁の外側にほぼ軸方向に延在する本体スカート部を備え、前記蓋体は、その口縁にほぼ軸方向に向けて延在する蓋体スカート部を備え、前記蓋体スカート部が前記本体スカート部の外周に嵌合可能にされているコーン用容器であって、
前記本体スカート部には、前記蓋体スカート部に嵌合する外向きの複数の突出部が互いに周方向に空隙を隔てて設けられ、これら複数の突出部が内向きに後退可能とされていることを特徴とするコーン用容器。
【請求項２】
請求項１に記載のコーン用容器であって、
前記蓋体スカート部には内向きに突出した係合部が設けられ、当該係合部は前記嵌合の際に前記本体スカート部に係合することを特徴とするコーン用容器。
【請求項３】
請求項１又は２に記載のコーン用容器であって、
前記本体スカート部は、前記容器本体の口縁を基部とし且つ軸方向に関し前記容器本体の底部に近い側に延在することを特徴とするコーン用容器。
【請求項４】
請求項１ないし３のいずれかに記載のコーン用容器であって、
前記複数の突出部の間が、内向きに凹陥する可撓リブによって接続されていることを特徴とするコーン用容器。
【請求項５】
請求項１ないし４のいずれかに記載のコーン用容器であって、
前記蓋体スカート部は、把持用のタブを有し、当該タブを把持して外側に引くことによって前記複数の突出部の少なくとも１つが後退させられることを特徴とするコーン用容器。
【請求項６】
請求項１ないし５のいずれかに記載のコーン用容器であって、
前記蓋体はミシン目を有し、前記蓋体スカート部を把持して外側に引くことによって前記蓋体が前記ミシン目に沿って破断可能とされていることを特徴とするコーン用容器。
【発明の詳細な説明】
【技術分野】
【０００１】
本発明は、ソフトクリーム、ソーダアイス、ラクトアイス等（以下アイス等という）を容入したコーンを収容する容器に関する。
【背景技術】
【０００２】
従来この種の容器としては、カップ状の容器本体及びこれに嵌合するカップ状の蓋体を備え、容器本体にコーンを収容し、蓋体でアイス等の外側を覆うものが広く用いられている。
【０００３】
容器本体は、筒状の本体胴部の口縁を基部としてその外側に、ほぼ軸方向かつ容器本体の底部側に延在する本体スカート部とを備え、蓋体は、筒状の蓋体胴部の口縁からほぼ軸方向かつ蓋体胴部の延長方向に向けて延在する蓋体スカート部を備えており、蓋体の蓋体スカート部が、容器本体の本体スカート部の外周に嵌合可能にされている。容器本体及び蓋体は、可撓性の樹脂シートから成形される。
【０００４】
このようなコーン用容器では、製造から流通過程において蓋体が外れないようにする目的で、容器本体と蓋体との嵌合支持を固くすると、蓋体の取り外し時に大きな力を要するため、嵌合が外れた瞬間の蓋体の運動が大きくなり、取り外し時の蓋体とアイス等との干渉によってアイス等が中途で折れたり、崩れたりするという欠点があった。このため、特許文献１が開示する容器では、容器本体と蓋体との嵌合部の外周面を、シュリンクフィルムで包装するようにしている。
【０００５】
【特許文献１】特開２００２−２４９１９５号公報
【発明の開示】
【発明が解決しようとする課題】
【０００６】
しかしながら、シュリンクフィルムの使用は包装時の加熱を要し、包装の際にアイス等が溶けたり、変質するおそれがあるため、蓋体の取り外しを小さな力で行いうる他の構造が要請されている。
【０００７】
そこで本発明の目的は、製造から流通過程において蓋体が外れにくく、かつ蓋体の取り外しを小さな力で行いうる新規な構造の容器を提供することにある。
【課題を解決するための手段】
【０００８】
本発明に係るコーン用容器は、カップ状の容器本体及びこれに嵌合するカップ状の蓋体を備え、前記容器本体は、その口縁の外側にほぼ軸方向に延在する本体スカート部を備え、前記蓋体は、その口縁にほぼ軸方向に向けて延在する蓋体スカート部を備え、前記蓋体スカート部が前記本体スカート部の外周に嵌合可能にされているコーン用容器であって、
前記本体スカート部には、前記蓋体スカート部に嵌合する外向きの複数の突出部が互いに周方向に空隙を隔てて設けられ、これら複数の突出部が内向きに後退可能とされていることを特徴とする。
【０００９】
本発明では、容器本体の本体スカート部に、蓋体の蓋体スカート部に嵌合する外向きの複数の突出部が互いに空隙を隔てて設けられ、これら複数の突出部が内向きに後退可能とされているので、本体スカート部の外径が全周にわたって均一にされている従来のコーン用容器に比して、本体スカート部が撓み易くなり、蓋体の取り外しを小さい力で行うことができる。
【００１０】
好適には、蓋体スカート部には内向きに突出した係合部が設けられ、当該係合部は前記嵌合の際に前記本体スカート部に係合する。この場合には、製造から流通過程において蓋体を外れにくくすることができる。
【００１１】
好適には、前記本体スカート部は、前記容器本体の口縁を基部とし且つ軸方向に関し前記容器本体の底部に向かう側に延在する。この場合には、嵌合を円滑にするための本体スカート部のテーパー勾配によって、同時に成形時の型抜き性を良好にすることができる。
【００１２】
好適には、前記複数の突出部の間は、内向きに凹陥する可撓リブによって接続されている。この場合には、複数の突出部の間の間隙が可撓リブによって塞がれるので、突出部のエッジの露出量を抑制でき、喫食の際の感触を良好にすることができる。
【００１３】
好適には、前記蓋体スカート部は、把持用のタブを有し、当該タブを把持して外側に引くことによって前記複数の突出部の少なくとも１つが後退させられる。この場合には、タブによって開封を容易化でき、また、タブが有ることによってユーザに適切な開封方法を指示することができる。
【００１４】
また好適には、前記蓋体はミシン目を有し、前記蓋体スカート部を把持して外側に引くことによって前記蓋体が前記ミシン目に沿って破断可能とされている。この場合には、ミシン目に沿った破断の操作と、蓋体の取り外し操作が同時に行われないので、蓋体の取り外しの際に蓋体に作用する力を更に小さくでき、取り外し時の蓋体とアイス等との干渉を更に効果的に抑制できる。
【発明を実施するための最良の形態】
【００１５】
本発明の実施形態について、以下に図面に従って説明する。本発明の実施形態のコーン用容器１（以下適宜「容器１」という）は、図１及び図２に示される容器本体２と、図３及び図４に示される蓋体３とからなる。容器本体２と蓋体３とは両者が不透明であっても、少なくともいずれか一方が透明又は半透明であってもよい。
【００１６】
容器本体２及び蓋体３は、シート状のポリスチレン（ＰＳ）を真空成形または圧空成形してなる。なお容器本体２及び蓋体３には、他にポリプロピレン（ＰＰ）、ポリエチレン（ＰＥ）、ポリエチレンテレフタレート（ＰＥＴ）など、他の種類のシート状の熱可塑性樹脂材料を用いてもよい。
【００１７】
図１及び図２において、容器本体２は平面視でほぼ円形のカップ状をなしている。容器本体２は、図２中上方ほど拡径した筒状の本体胴部４、円盤形の底部５、及び本体胴部４の口縁の外側にほぼ軸方向に延在する本体スカート部６を備えている。本体スカート部６は、本体胴部４の口縁を基部とし、且つ軸Ａ方向に関し底部５に近い側に延在している。本体スカート部６には、外径すなわち軸Ａからの距離が本体胴部４よりも大きくされた複数の突出部７が、互いに周方向に空隙８を隔てて設けられている。
【００１８】
互いに隣接する２つの突出部７の間の空隙８は、Ｖ溝状に内向きに凹陥する可撓リブ９によって接続されている。図２に示されるように、軸Ａ方向に関する突出部７の末端の軸方向位置ｈは、可撓リブ９の末端の軸方向位置と等しくされている。
【００１９】
容器本体２が有する可撓性により、各突出部７は開封時に負荷される力によって弾性変形可能とされており、その結果、複数の突出部７の外周面から構成される輪郭は、少なくとも１つの突出部７の内向きの変形によって縮小可能となっている。可撓リブ９の底部と、本体胴部４の外周面との間には、間隙ｉが設けられており、突出部７の後退の際に可撓リブ９と本体胴部４とが干渉しないようにされている。可撓リブ９の断面形状は、弧状など他の形状でもよい。
【００２０】
容器本体２の口縁の近傍には、開口部に向うに従って内径が小さくされたアンダーカット部１０が形成されている。このアンダーカット部１０によって、複数の容器本体２を保管時等に積み重ねた場合の相互の張り付き（スタック）が抑制される。
【００２１】
他方、図３及び図４において、蓋体３は、平面視でほぼ円形のカップ状をなしている。蓋体３は、ほぼ半球形のドーム部１１と、当該ドーム部１１の口縁にほぼ軸Ａ方向に向けて延在する蓋体スカート部１２とを備えている。
【００２２】
蓋体スカート部１２は、ドーム部１１の口縁を基部とし、且つ図４中下側（すなわち、軸方向に関し容器本体２の底部５に近い側）に延在している。
【００２３】
蓋体スカート部１２には、内向きに突出した複数個の係合部１４が、互いに周方向に間隙を置いて設けられている。蓋体スカート部１２のうち係合部１４を除いた部分の内径は、周方向に均一にされている。なお、本実施形態では複数の係合部１４を設けたが、本発明における係合部は周方向に連続した単一のものであってもよい。
【００２４】
蓋体３の蓋体スカート部１２は、外向きに延在する把持用のタブ１５を有する。タブ１５の中央部には、多数の滑り止めリブ１６が形成されている。蓋体スカート部１２の下端部、及びタブ１５の周縁部の外周を囲むように、図４中上向きのリップ部１７が形成されている。
【００２５】
以上のとおり構成された容器１では、図４に示されるように、アイス等Ｃを容入したコーンＤなどの内容物を容器本体２内に収容した状態で、蓋体３を容器本体２に嵌合させる。このとき、蓋体３の蓋体スカート部１２の係合部１４が、容器本体２の本体スカート部６の突出部７の外周面７ａを乗り越えることによって、蓋体スカート部１２が本体スカート部６の外周に嵌合する。嵌合時には、本体スカート部６の突出部７の外周面（弧状面）７ａは、蓋体スカート部１２に対面することになる。
【００２６】
開封する際には、図５に示されるように、ユーザが蓋体３のタブ１５を把持して矢印Ｐ方向に外側に引くと、蓋体３の蓋体スカート部１２によって、タブ１５の反対側に位置する突出部７が内側（軸Ａに近づく方向）に押され、これによって、一部の突出部７が、図中二点鎖線ａに示される位置から、内側に向けて矢印Ｓ方向に縮小する。
【００２７】
これによって、容器本体２に対する蓋体３の矢印Ｐ方向への相対移動が許容され、蓋体３の係合部１４のうちタブ１５の近傍の幾つかが、容器本体２の突出部７と係合を解かれ、係合部１４と突出部７との間に、水平方向（径方向）の隙間ｂが生じる。したがって、この状態からタブ１５を上向きに引き上げることにより、蓋体３を容器本体２から容易に取り外すことができる。
【００２８】
以上のとおり、本実施形態では、容器本体２の本体スカート部６に、蓋体３の蓋体スカート部１２に嵌合する外向きの複数の突出部７が互いに空隙８を隔てて設けられ、これら複数の突出部７が内向きに後退可能とされているので、本体スカート部の外径が全周にわたって均一にされている従来のコーン用容器に比して、本体スカート部６が撓み易くなり、蓋体３の取り外しを小さい力で行うことができる。
【００２９】
また本実施形態では、蓋体スカート部１２に内向きに突出した係合部１４が設けられ、係合部１４は嵌合の際に本体スカート部６に係合するので、製造から流通過程において蓋体３を外れにくくすることができる。
【００３０】
また本実施形態では、本体スカート部６は、容器本体２の口縁を基部とし且つ軸Ａ方向に関し容器本体２の底部５に向かう側に延在するので、嵌合を円滑にするための本体スカート部６のテーパー勾配（図２において鉛直線Ｂに対する勾配α）によって、同時に成形時の型抜き性を良好にすることができる。
【００３１】
また本実施形態では、複数の突出部７の間が、内向きに凹陥する可撓リブ９によって接続されているので、複数の突出部７の間の間隙が可撓リブ９によって塞がれ、突出部７のエッジの露出量を抑制でき、喫食の際の感触を良好にすることができる。
【００３２】
また本実施形態では、蓋体スカート部１２は、把持用のタブ１５を有し、当該タブ１５を把持して外側に引くことによって複数の突出部７の少なくとも１つが後退させられるので、タブ１５によって開封を容易化でき、また、タブ１５が有ることによってユーザに適切な開封方法を指示することができる。
【００３３】
なお、本発明における蓋体は、ミシン目を設けて破断可能としても良い。図６に示される変形例では、蓋体１０３はその全周にわたるミシン目１１８を有し、蓋体スカート部１０６のタブ１１５を把持して外側に引くことによって、蓋体１０３がミシン目１１８に沿って破断可能とされ、且つ破断によってその下側部分１１９が除去可能とされている。この場合には、ミシン目１１８に沿った破断の操作と、蓋体１０３の取り外し操作が同時に行われないので、蓋体１０３の取り外しの際に蓋体１０３に作用する力を更に小さくでき、取り外し時の蓋体１０３とアイス等との干渉を更に効果的に抑制できる。
【００３４】
なお、上記実施形態及びその変形例では、シュリンクフィルムを用いずに包装できるという利点があるが、容器１における容器本体２と蓋体３との結合部の外周を、シュリンクフィルムや粘着テープで被覆してもよく、かかる構成も本発明の範疇に属するものである。
【図面の簡単な説明】
【００３５】
【図１】本発明の実施形態に係るコーン用容器の容器本体を示す平面図である。
【図２】図１の容器本体のII−II線断面を示す正面図である。
【図３】蓋体を示す平面図である。
【図４】コーン用容器の仕様状態を示す正面図である。
【図５】コーン用容器から蓋体を取り外す際の作用を示す平面図である。
【図６】変形例のコーン用容器を示す正面図である。
【符号の説明】
【００３６】
１，１０１      コーン用容器
２，１０２      容器本体
３，１０３      蓋体
６，１０６      本体スカート部
７      突出部
７ａ      外周面
８      空隙
９      可撓リブ
１２      蓋体スカート部
１４      係合部
１５，１１５      タブ
【図１】
2008296944.tif 000003
【図２】
2008296944.tif 000004
【図３】
2008296944.tif 000005
【図４】
2008296944.tif 000006
【図５】
2008296944.tif 000007
【図６】
2008296944.tif 000008